(57)【要約】【課題】えのき茸を栽培中のきのこ栽培瓶に充填された培地に、水又はそれに加えてえのき茸の生長に有効な養分を含む液体を供給する、えのき茸栽培用培地への水又は液体供給装置を提供する。【解決手段】きのこ栽培瓶３０を搭載した台座１００を昇降手段１２０により上昇させて、きのこ栽培瓶の瓶口３２上方に起立させて配置した注入管５０を、きのこ栽培瓶３０内の培地に瓶口３２を通して差し込む。そして、供給手段２００により、注入管５０に水又はそれに加えてえのき茸２０の生長に有効な養分を含む液体を供給する。そして、その水又はそれに加えて液体を、注入管５０が差し込まれた培地部分周辺に注入管５０から放出させる。そして、その水又はそれに加えて液体を、注入管５０により培地に発生させたクラックを通して、培地周囲ときのこ栽培瓶３０の内周壁との間に生じた隙間に注入する。【選択図】図１
2005046079.tif 000002
【特許請求の範囲】
【請求項１】
きのこ栽培瓶を搭載する台座と、該台座上に搭載されるきのこ栽培瓶の瓶口上方に起立させて配置された注入管と、前記台座上に搭載されるきのこ栽培瓶の瓶口上方を覆う枠板であって、台座にアームを介して支持された枠板と、該枠板を上下に貫いて枠板に固定された前記注入管胴部を上下方向に摺動自在に支持するガイド筒と、前記台座を枠板と共に注入管方向に上昇させたり、注入管から離隔させる方向に降下させたりする昇降手段と、前記台座上に搭載されるきのこ栽培瓶が台座上方に持ち上げられるのを防ぐストッパと、前記注入管にタンク内に収容された水又はそれに加えてえのき茸の生長に有効な養分を含む液体を供給する供給手段とが備えられたことを特徴とするえのき茸栽培用培地への水又は液体供給装置。
【請求項２】
前記注入管が、先端が尖ると共に、先端が封じられた筒管であって、その筒管の側壁に、筒管内に供給された前記水又は液体を筒管外部に放出させる小孔が設けらたものであることを特徴とする請求項１記載のえのき茸栽培用培地への水又は液体供給装置。
【請求項３】
前記ストッパが、枠板から延設された枠棒であって、台座上に搭載されるきのこ栽培瓶の瓶肩部に当接させて、そのきのこ栽培瓶が台座上方に持ち上げられるのを防ぐ枠棒であることを特徴とする請求項１又は２記載のえのき茸栽培用培地への水又は液体供給装置。
【請求項４】
前記供給手段が、注入管に供給する水又は液体を貯めるシリンダと、該シリンダ内を前後に摺動させて、シリンダ内に貯めた水又は液体をシリンダ外部に押し出したりシリンダ外部のタンクから水又は液体をシリンダ内に吸入したりするピストンと、該ピストンをシリンダ内で前後に摺動させる駆動手段と、前記タンク内に貯留された水又は液体をシリンダ内に吸入する吸入回路と、該吸入回路を通してシリンダ内に吸入されて貯められた水又は液体が、シリンダ内を摺動させる前記ピストンの作用を受けて、タンク内に逆流して戻るのを防ぐ第１逆止弁と、前記シリンダ外部に押し出された水又は液体を注入管に供給する供給回路と、該供給回路を通して注入管に供給された水又は液体が、シリンダ内を摺動させる前記ピストンの作用を受けて、シリンダ内に吸い上げられて戻るのを防ぐ第２逆止弁とからなることを特徴とする請求項１、２又は３記載のえのき茸栽培用培地への水又は液体供給装置。
【発明の詳細な説明】
【技術分野】
【０００１】
本発明は、きのこ栽培瓶に充填されたえのき茸を栽培中の培地に、水又はそれに加えてえのき茸の生長に有効な養分を含む液体を供給するための、えのき茸栽培用培地への水又は液体供給装置に関する。
【背景技術】
【０００２】
えのき茸の人工栽培においては、一般に、ポリプロピレン製などの広口のきのこ栽培瓶に、おが屑、米ぬか等を混合してなる培地を充填して、その培地に、えのき茸の菌糸を接種している。そして、その培地に、えのき茸の菌糸を蔓延させている。次いで、そのえのき茸の菌糸を蔓延させた培養済み培地から、えのき茸を発芽させている。そして、そのえのき茸を、きのこ栽培瓶の瓶口内側を通して、きのこ栽培瓶の瓶口上方に株状に生育させている。えのき茸をきのこ栽培瓶の瓶口上方に株状に長く伸長させる際には、きのこ栽培瓶の瓶口周囲に巻紙下部を巻き付けて固定し、その巻紙を瓶口上方に筒状に起立させている。そして、その瓶口上方に筒状に起立する巻紙内側空間で、えのき茸をきのこ栽培瓶の瓶口上方に株状に長く伸長させている。そして、その瓶口上方に長く伸長するえのき茸周囲を巻紙により覆って支持している。そして、そのえのき茸がきのこ栽培瓶周囲に垂れ下がるのを、防いでいる。
【０００３】
このえのき茸の人工栽培においては、そのきのこ栽培瓶の瓶口内底部に覗く培養済み培地上面からえのき茸が発芽してから、そのえのき茸が、きのこ栽培瓶の瓶口内側を通して、きのこ栽培瓶の瓶口上方に若干覗いた状態になるまでに生長するまでの期間、即ち、えのき茸の幼年期から少年期に当る、えのき茸の発芽期から抑制期までの期間は、栽培中のえのき茸が、その培地から、栄養分と共に、多量の水分を吸収し続ける。この発芽期から抑制期にあるえのき茸を栽培中の培地が水分不足に陥ると、えのき茸の生長が遅れて、そのえのき茸の収穫量が減少したり、そのえのき茸が褐色に着色したり、そのえのき茸が水分枯渇に陥って立ち枯れたりし、えのき茸栽培に甚大な被害が発生する。従って、えのき茸栽培において、その発芽期から抑制期までの期間は、培地に水分を注意して十分に補給する必要がある。
【０００４】
この発芽期から抑制期までの期間に、えのき茸栽培用のきのこ栽培瓶に充填された培地に水又はそれに加えてえのき茸の生長に有効な養分を含む液体を供給する方法として、本発明者は、次のような、えのき茸栽培用培地への水又は液体の供給方法を開発した。
この水又は液体の供給方法においては、図６に示したように、注入管５０をきのこ栽培瓶３０に充填された培地１０に、きのこ栽培瓶の瓶口３２内側を通して、差し込んでいる。そして、図７に示したように、その注入管５０により、きのこ栽培瓶３０に充填された培地１０に、培地１０周囲に達するクラック１２を発生させている。次いで、その注入管５０から、培地に発生したクラック１２を通して、えのき茸２０を生育中の体積が減少した培地１０周囲とそれに対向するきのこ栽培瓶３０の内周壁との間に生じた隙間６０に、水又はそれに加えてえのき茸の生長に有効な養分を含む液体を注入している。そして、そのきのこ栽培瓶３０内の培地１０周囲の隙間６０に注入して貯留した水又は液体を、えのき茸２０を生育中の培地１０に少量ずつ時間をかけてゆっくりと順に吸収させ続けている。そして、そのえのき茸２０を栽培中の培地１０が水分不足や栄養不足に陥るのを、防いでいる。そして、その水又は養分を含む液体が十分に補給し続けられる培地１０を用いて、傘の充実した良品質のえのき茸２０を生育できるようにしている。それと共に、その水又は液体が十分に補給し続けられる培地１０を用いて生育するえのき茸２０の収穫量を、大幅にアップさせることができるようにしている。図７において、７０は、穿孔棒等により培地１０上面に開口したえのき茸２０の種菌接種用の盲穴である。図７においては、培地１０を明確に示すために、培地１０上面から発芽したえのき茸２０は、描くのを省略している。
【０００５】
その際には、上記のようにして、注入管５０から、培地１０に発生したクラック１２を通して、培地１０周囲ときのこ栽培瓶３０の内周壁との間に生じた隙間６０に注入する水又は養分を含む液体の量を、一定量に制限している。そして、その水又は液体が、きのこ栽培瓶３０内の培地１０周囲の隙間６０から培地１０上部に溢れ出して、きのこ栽培瓶の瓶口３２内底部に溜まるのを、防いでいる。そして、その瓶口３２内底部に溜まった水又は液体に生育中のえのき茸２０が埋没した状態となるのを、防いでいる。そして、その栽培中のえのき茸２０が水分過多に陥って、日持ちの悪い茸に生長したり、褐色等に着色したりするのを、防いでいる。それと共に、その瓶口３２内底部に溜まった水又は液体に雑菌が繁殖して、その雑菌のために、栽培中のえのき茸２０の生長が阻害されるのを、防いでいる。
【特許文献１】特開平０８−１６３９２８号公報
【特許文献２】特公平０３−７８０８２号公報
【発明の開示】
【発明が解決しようとする課題】
【０００６】
ところで、この新規に開発された水又は液体の供給方法により、えのき茸２０を栽培中のきのこ栽培瓶３０に充填された培地１０に、水又はそれに加えてえのき茸の生長に有効な養分を含む液体を供給するための装置は、従来は、存在しなかった。
そこで、本発明者は、鋭意研究の結果、この新規に開発された水又は液体の供給方法により、えのき茸２０を栽培中のきのこ栽培瓶３０に充填された培地１０に、水又はそれに加えてえのき茸の生長に有効な養分を含む液体を手数を掛けずに容易かつ迅速に供給可能な、水又は液体供給装置を開発した。
【０００７】
即ち、本発明は、上記の新規に開発された水又は液体の供給方法により、えのき茸を栽培中のきのこ栽培瓶に充填された培地に、水又はそれに加えてえのき茸の生長に有効な養分を含む液体を手数を掛けずに容易かつ迅速に供給するための、えのき茸栽培用培地への水又は液体供給装置（以下、水又は液体供給装置という）を提供することを目的としている。
【課題を解決するための手段】
【０００８】
このような目的を達成するために、本発明の水又は液体供給装置は、
きのこ栽培瓶を搭載する台座と、該台座上に搭載されるきのこ栽培瓶の瓶口上方に起立させて配置された注入管と、前記台座上に搭載されるきのこ栽培瓶の瓶口上方を覆う枠板であって、台座にアームを介して支持された枠板と、該枠板を上下に貫いて枠板に固定された前記注入管胴部を上下方向に摺動自在に支持するガイド筒と、前記台座を枠板と共に注入管方向に上昇させたり、注入管から離隔させる方向に降下させたりする昇降手段と、前記台座上に搭載されるきのこ栽培瓶が台座上方に持ち上げられるのを防ぐストッパと、前記注入管にタンク内に収容された水又はそれに加えてえのき茸の生長に有効な養分を含む液体を供給する供給手段とが備えられたことを特徴としている。
前記注入管は、先端が尖ると共に、先端が封じられた筒管であって、その筒管の側壁に、筒管内に供給された前記水又は液体を筒管外部に放出する小孔が設けらたものとすることを好適としている。
前記ストッパは、枠板から延設された枠棒であって、台座上に搭載されるきのこ栽培瓶の瓶肩部に当接させて、そのきのこ栽培瓶が台座上方に持ち上げられるのを防ぐ枠棒であることを好適としている。
前記供給手段は、注入管に供給する水又は液体を貯めるシリンダと、該シリンダ内を前後に摺動させて、シリンダ内に貯めた水又は液体をシリンダ外部に押し出たりシリンダ外部のタンクから水又は液体をシリンダ内に吸入したりするピストンと、該ピストンをシリンダ内で前後に摺動させる駆動手段と、前記タンク内に貯留された水又は液体をシリンダ内に吸入する吸入回路と、該吸入回路を通してシリンダ内に吸入されて貯められた水又は液体が、シリンダ内を摺動させる前記ピストンの作用を受けて、タンク内に逆流して戻るのを防ぐ第１逆止弁と、前記シリンダ外部に押し出された水又は液体を注入管に供給する供給回路と、該供給回路を通して注入管に供給された水又は液体が、シリンダ内を摺動させる前記ピストンの作用を受けて、シリンダ内に吸い上げられて戻るのを防ぐ第２逆止弁とからなるものとすることを好適としている。
【発明の効果】
【０００９】
このような構成の水又は液体供給装置によれば、
昇降手段により、台座を注入管の下方に降下させて、注入管とその下方の台座との間にえのき茸を栽培中のきのこ栽培瓶を出し入れ可能な空隙をあけた状態とすることができる。そして、きのこ栽培瓶の瓶口内底部に覗く培養済み培地上面からえのき茸が発芽してから、そのえのき茸が、きのこ栽培瓶の瓶口内側を通して、きのこ栽培瓶の瓶口上方に若干覗いた状態にまで生長するまでの期間、即ち、えのき茸の幼年期から少年期に当る、えのき茸の発芽期から抑制期までの期間のうちの、例えばえのき茸の頭部がきのこ栽培瓶の瓶口上方に若干覗いた状態となる水分補給を最も必要とする抑制期にあるえのき茸を栽培中のきのこ栽培瓶を、注入管に邪魔されぬようにして、枠板下方の台座上に搭載できる。
次いで、昇降手段により、そのえのき茸を栽培中のきのこ栽培瓶が搭載された台座を、該台座にアームを介して支持された枠板と共に、台座上に搭載されたきのこ栽培瓶の瓶口上方に配置された注入管方向に上昇させることができる。そして、その注入管を、えのき茸を栽培中のきのこ栽培瓶の瓶口を通して、きのこ栽培瓶内の培地に差し込むことができる。そして、その注入管により、培地を加圧して、培地を左右に押し分けることができる。そして、その培地に、培地周囲に達するクラックを発生させることができる。
その際には、きのこ栽培瓶の上方に配置された注入管を枠板に設けられたガイド筒内を下方に摺動させて、そのガイド筒内周壁により、細長い注入管胴部が曲がったり折れたりしないように支持できる。そして、その注入管を、きのこ栽培瓶の瓶口内底部に覗く培地の所望部位に、その位置を狂わせることなく、常に的確に差し込むことができる。
次いで、供給手段により、タンク内に貯留された水又はそれに加えてえのき茸の生長に有効な養分を含む液体を、注入管に供給できる。そして、その注入管から、注入管が差し込まれた培地部分周辺に水又はえのき茸の生長に有効な養分を含む液体を放出させることができる。そして、その水又は液体を、注入管を差し込んだ培地部分に発生させたクラックを通して、えのき茸を生育中の体積が減少した培地周囲とそれに対向するきのこ栽培瓶の内周壁との間に生じた隙間に流入させて貯留できる。
このようにして、きのこ栽培瓶内の培地周囲の隙間に上記水又は液体を流入させて貯留した後には、昇降手段により、台座を、該台座にアームを介して支持された枠板と共に、注入管から離隔させる方向に降下させることができる。そして、きのこ栽培瓶内の培地に差し込まれた注入管を、その培地内から、きのこ栽培瓶の瓶口を通して、きのこ栽培瓶の上方に引き抜くことができる。それと共に、注入管とその下方の台座との間に、えのき茸を栽培中のきのこ栽培瓶を出し入れ可能な空隙を再びあけた状態とすることができる。
その際には、きのこ栽培瓶に対して相対的に上昇する注入管に引きずられて、注入管が差し込まれた培地が収容されたきのこ栽培瓶が、それが搭載された台座上から離脱してその上方に持ち上げられるのを、ストッパにより防ぐことができる。
台座上に搭載されたきのこ栽培瓶であって、きのこ栽培瓶内の培地周囲の隙間に水又は液体を流し込んで貯留し終えたきのこ栽培瓶は、上記のようにして、注入管をきのこ栽培瓶内の培地からきのこ栽培瓶の上方に引き抜いた後に、注入管とその下方の台座との間にあけられた上記空隙を通して、台座外部に取り出すことができる。
以下、このようなステップを繰り返し行うことにより、発芽期から抑制期の間にあるえのき茸を栽培中のきのこ栽培瓶を、台座上に順に搭載し直して、そのきのこ栽培瓶内の培地周囲に生じた隙間に、水又はそれに加えてえのき茸の生長に有効な養分を含む液体を流し込んで貯留できる。
【００１０】
注入管が、先端が尖ると共に、先端が封じられた筒管であって、その筒管の側壁に、筒管内に供給された前記水又は液体を筒管外部に放出する小孔が設けられたものである場合には、その先端が尖った注入管を、えのき茸の菌糸からの力を受けて固く押し縮められた培地に、抵抗少なく差し込むことができる。
その際には、注入管の先端が封じられているため、その注入管の先端から注入管内に培地の一部が入り込んで、注入管内が培地で詰まった状態となるのを、防ぐことができる。
注入管内に送り込まれた水又は液体は、注入管の側壁に設けられた小孔を通して、注入管外部に放出させることができる。
小孔は、培地に差し込む注入管の差し込み方向に対してほぼ垂直な方向を向くように、注入管の側壁に設けられているために、注入管を培地に差し込んだ際に、その小孔内に培地の一部が押し込まれて、その小孔が培地で詰まった状態となるのを、防ぐことができる。
【００１１】
ストッパが、枠板から延設された枠棒であって、台座上に搭載されるきのこ栽培瓶の瓶肩部に当接させて、そのきのこ栽培瓶が台座上方に持ち上げられるのを防ぐ枠棒である場合には、前記のようにして、昇降手段により、台座を注入管から離隔させる方向に降下させて、注入管をきのこ栽培瓶内の培地内からきのこ栽培瓶の上方に引き抜いた際に、注入管に引きずられて、注入管が差し込まれた培地が収容されたきのこ栽培瓶が、それが搭載された台座上からその上方に離脱して持ち上げられるのを、枠板から延設された枠棒からなるストッパ下端を、台座上に搭載されたきのこ栽培瓶の瓶肩部にその上方から当接させて、防ぐことができる。
【００１２】
供給手段が、注入管に供給する水又は液体を貯めるシリンダと、該シリンダ内を前後に摺動させて、シリンダ内に貯めた水又は液体をシリンダ外部に押し出したりシリンダ外部のタンクから水又は液体をシリンダ内に吸入したりするピストンと、該ピストンをシリンダ内で前後に摺動させる駆動手段と、前記タンク内に貯留された水又は液体をシリンダ内に吸入する吸入回路と、該吸入回路を通してシリンダ内に吸入されて貯められた水又は液体が、シリンダ内で摺動させるピストンの作用を受けて、タンク内に逆流して戻るのを防ぐ第１逆止弁と、シリンダ外部に押し出された水又は液体を注入管に供給する供給回路と、該供給回路を通して注入管に供給された水又は液体が、シリンダ内で摺動させるピストンの作用を受けて、シリンダ内に吸い上げられて戻るのを防ぐ第２逆止弁とからなる場合には、駆動手段により、ピストンをシリンダ内を前方又は後方に摺動させて、タンク内に貯留された水又はそれに加えてえのき茸の生長に有効な養分を含む液体を、吸入回路を通して、シリンダ内に吸入させることができる。そして、そのシリンダ内に注入管に供給する水又は液体を貯めることができる。
その際には、第２逆止弁により、それ以前に供給回路を通して注入管に供給された水又は液体が、シリンダ内で前方又は後方に摺動させるピストンの作用を受けて、シリンダ内に吸い上げられて再び戻るのを防ぐことができる。
次いで、駆動手段により、再びピストンをシリンダ内で後方又は前方に摺動させて、そのシリンダ内に貯留された水又は液体を、シリンダ外部に押し出して、供給回路を通して、注入管に供給できる。そして、その注入管に供給された水又は液体を、注入管が差し込まれた培地部分周辺に放出させることができる。
その際には、第１逆止弁により、シリンダ内に貯められた水又は液体が、シリンダ内で後方又は前方に摺動させるピストンの作用を受けて、吸入回路を通して、タンク内に再び逆流して戻るのを防ぐことができる。
【発明を実施するための最良の形態】
【００１３】
次に、本発明の実施の形態を図面に従い説明する。
図１ないし図５は本発明の水又は液体供給装置の好適な実施の形態を示し、図１と図２はその使用方法を示す正面図、図３と図４はその供給手段の回路説明図、図５はその注入管先端の拡大正面図である。以下に、この水又は液体供給装置を説明する。
【００１４】
この水又は液体供給装置には、図１と図２に示したように、きのこ栽培瓶３０を搭載する平板状の台座１００と、該台座上に搭載されるきのこ栽培瓶の瓶口３２上方に起立させて配置された細長い注入管５０と、台座１００上に搭載されるきのこ栽培瓶の瓶口３２上方を覆う枠板１１０であって、台座１００にアーム１０２を介して支持された枠板１１０とが備えられている。注入管５０は、装置本体１０４に起立させた状態で動かぬように固定されている。
枠板１１０には、ガイド筒１１２が枠板１１０を上下に貫いて固定されていて、そのガイド筒１１２内側に、注入管５０胴部が上下方向に摺動自在に支持されている。
台座１００下方には、台座１００を、該台座にアーム１０２を介して支持された枠板１１０と共に、注入管５０方向に上昇させたり、注入管５０から離隔させる方向に降下させたりする昇降手段１２０が備えられている。昇降手段１２０には、装置本体１０４底面に設置された大型のエアーシリンダ１２２が用いられていて、該シリンダのピストンロッド１２４上端に、台座１００が固定されている。
枠板１１０下面からは、その下方に枠棒状のストッパ１３０が延設されている。そして、そのストッパ１３０下端を、図１や図２に示したように、台座１００上に搭載されるきのこ栽培瓶３０の肩部に当接させて、そのストッパ１３０により、台座１００上に搭載されるきのこ栽培瓶３０が台座１００上から離れて台座１００上方に持ち上げられるのを防ぐことができるように構成されている。
注入管５０上端に備えられた筒状の供給部５４には、図３や図４に示したような供給手段２００が連結されている。そして、その供給手段２００により、タンク３００内に貯留された水又はそれに加えてえのき茸の生長に有効な養分を含む液体を、筒状の供給部５４を通して、注入管５０内に供給できるように構成されている。
【００１５】
注入管５０は、図５に示したように、先端が尖ると共に、先端が封じられた筒管から形成されていて、その側壁には、注入管５０内に供給された水又は液体を注入管５０外部に放出させる少数個の小孔５２が設けられている。
そして、その先端が尖った注入管５０を、栽培中のえのき茸２０の菌糸の力を受けて固く押し縮められた培地１０に、抵抗少なく差し込むことができるようにしている。
注入管５０の先端は、封じられていて、その注入管５０を培地１０に差し込んだ際に、その注入管５０の先端から注入管５０内に培地１０の一部が入り込んで、注入管５０内が培地１０で詰まるのを、防ぐことができるようにしている。
小孔５２は、培地１０に差し込む注入管５０の差し込み方向に対してほぼ垂直な方向を向くように、注入管５０の側壁に設けられていて、注入管５０を培地１０に差し込んだ際に、その小孔５２内に培地１０の一部が押し込まれて、その小孔５２が培地１０で詰まるのを防ぐことができるようにしている。
【００１６】
供給手段２００は、図３や図４に示したように、注入管５０に供給する水又は液体を貯めるシリンダ２１０と、該シリンダ内を前後に摺動させて、シリンダ２１０内に貯めた水又は液体をシリンダ２１０外部に押し出したりシリンダ２１０外部のタンク３００から水又は液体をシリンダ２１０内に吸入したりするピストン２２０と、該ピストンをシリンダ２１０内で前後に摺動させるエアーシリンダ等からなる駆動手段２３０と、タンク３００内に貯留された水又はそれに加えてえのき茸の成長に有効な養分を含む液体をシリンダ２１０内に吸入する吸入回路２４０と、該吸入回路を通してシリンダ２１０内に吸入されて貯められた水又は液体が、シリンダ２１０内で前方又は後方（図３や図４では、前方としている）に摺動させるピストン２２０の作用を受けて、タンク３００内に逆流して戻るのを防ぐ第１逆止弁２４２と、シリンダ２１０外部に押し出された水又は液体を注入管５０に供給する供給回路２５０と、該供給回路を通して注入管５０に供給された水又は液体が、シリンダ２１０内で後方又は前方（図３や図４では、後方としている）に摺動させるピストン２２０の作用を受けて、シリンダ２１０内に吸い上げられて戻るのを防ぐ第２逆止弁２５２とからなっている。
そして、図３に示したように、駆動手段２３０により、ピストン２２０をシリンダ２１０内で後方に摺動させて、タンク３００内に貯留された水又はそれに加えてえのき茸の生長に有効な養分を含む液体を、第１逆止弁２４２に邪魔されずに、吸入回路２４０を通して、シリンダ２１０内に吸入できるようにしている。そして、そのシリンダ２１０内に注入管５０に供給する水又は液体を貯めることができるようにしている。
その際には、第２逆止弁２５２により、それ以前に供給回路２５０を通して注入管５０に供給された水又は液体が、シリンダ２１０内で後方に摺動させるピストン２２０の作用を受けて、シリンダ２１０内に再び吸い上げられて戻るのを防ぐことができるようにしている。
次いで、図４に示したように、駆動手段２３０により、再びピストン２２０をシリンダ２１０内で前方に摺動させて、そのシリンダ２１０内に貯留された水又は液体を、シリンダ２１０外部に押し出して、第２逆止弁２５２に邪魔されずに、供給回路２５０を通して、注入管５０に供給できるようにしている。そして、その注入管５０に供給された水又は液体を、注入管５０が差し込まれた培地１０部分周辺に放出させることができるようにしている。
その際には、第１逆止弁２４２により、シリンダ２１０内に貯められた水又は液体が、シリンダ２１０内で前方に摺動させるピストン２２０の作用を受けて、吸入回路２４０を通して、タンク３００内に再び逆流して戻るのを防ぐことができるようにしている。
以下、このようなステップを繰り返し行うことにより、タンク３００内に貯留された水又は液体を、シリンダ２１０内に一定量づつ吸入して、その一定量の水又は液体を、注入管５０内に繰り返し供給できるようにしている。
【００１７】
図１ないし図５に示した水又は液体供給装置は、以上のように構成されていて、この水又は液体供給装置の使用に際しては、図１に示したように、昇降手段１２０により、台座１００を注入管５０の下方に降下させて、注入管５０とその下方の台座１００との間にえのき茸を栽培中のきのこ栽培瓶３０を出し入れ可能な空隙をあけた状態とする。そして、発芽期から抑制期までの間にあるえのき茸を栽培中のきのこ栽培瓶３０のうちの、例えばえのき茸２０の頭部がきのこ栽培瓶の瓶口３２上方に若干覗いた状態となる水分補給を最も必要とする抑制期にあるえのき茸２０を栽培中のきのこ栽培瓶３０を、注入管５０に邪魔されぬよにして、枠板１１０下方の台座１００上に搭載する。
次いで、図２に示したように、昇降手段１２０により、そのえのき茸２０を栽培中のきのこ栽培瓶３０が搭載された台座１００を、該台座にアーム１０２を介して支持された枠板１１０と共に、台座１００上に搭載されたきのこ栽培瓶の瓶口３２上方に位置する注入管５０方向に上昇させる。
すると、その注入管５０を、えのき茸２０を栽培中のきのこ栽培瓶３０内の培地１０に、きのこ栽培瓶の瓶口３２を通して、差し込むことができる。そして、その注入管５０により、培地１０を加圧して左右に押し分けて、その培地１０に、図７に示したような、培地１０周囲に達するクラック１２を発生させることができる。
その際には、枠板１１０に固定されたガイド筒１１２内を注入管５０を下方に摺動させて、そのガイド筒１１２内周壁により、細長い注入管５０胴部が曲がったり折れたりしないように支持できる。そして、その注入管５０を、きのこ栽培瓶の瓶口３２内底部に覗く培地１０の所望部位に、その位置を狂わせずに、的確に差し込むことができる。
次いで、供給手段２００により、前記のようにして、タンク３００内に貯留された水又はそれに加えてえのき茸の生長に有効な養分を含む液体を、シリンダ２１０内に一定量吸入した後、そのシリンダ２１０内に吸入した一定量の水又は液体を、シリンダ２１０外部に押し出して、供給路２５０を通して、注入管５０内に供給する。そして、その注入管５０内に供給された水又は液体を、注入管５０の側壁に設けられた小孔５２から、注入管５０が差し込まれた培地１０部分周辺に放出させる。
すると、その注入管５０から放出させた水又は液体を、培地１０に発生させたクラック１２を通して、えのき茸２０を生育中の体積が減少した培地１０周囲とそれに対向するきのこ栽培瓶３０の内周壁との間に生じた隙間６０に流入させて貯留できる。
このようにして、きのこ栽培瓶３０内の培地１０周囲の隙間６０に水又は液体を流入させて貯留した後には、図１に示したように、昇降手段１２０により、台座１００を、該台座にアーム１０２を介して支持された枠板１１０と共に、注入管５０から離隔させる方向に降下させる。そして、きのこ栽培瓶内の培地１０に差し込まれた注入管５０を、その培地１０から、きのこ栽培瓶の瓶口３２を通して、きのこ栽培瓶３０の上方に引き抜く。それと共に、注入管５０とその下方の台座１００との間に、えのき茸２０を栽培中のきのこ栽培瓶３０を出し入れ可能な空隙を再びあけた状態とする。
その際には、きのこ栽培瓶３０に対して相対的に上昇する注入管５０に引きずられて、注入管５０が差し込まれた培地１０が収容されたきのこ栽培瓶３０が、それが搭載された台座１００上からその上方に離脱して持ち上げられるのを、そのきのこ栽培瓶３０の肩部にストッパ１３０下端を当接させて防ぐ。
台座１００上に搭載されたきのこ栽培瓶３０であって、きのこ栽培瓶３０内の培地１０周囲の隙間６０に水又は液体を流し込んで貯留し終えたきのこ栽培瓶３０は、注入管５０をきのこ栽培瓶内の培地１０からきのこ栽培瓶３０の上方に引き抜いた後に、注入管５０とその下方の台座１００との間にあいた上記空隙を通して、台座１００外方に取り出す。
以下、このようなステップを繰り返し行うことにより、発芽期から抑制期の間にあるえのき茸２０を栽培中のきのこ栽培瓶３０を、台座１００上に順に搭載し直して、そのきのこ栽培瓶３０内の培地１０周囲の隙間６０に、水又はそれに加えてえのき茸の生長に有効な養分を含む液体を一度に効率よく迅速に流し込んで貯留できる。
【００１８】
この水又は液体供給装置の使用に際しは、図１と図２に示したように、複数本のきのこ栽培瓶３０を籠状のコンテナ８０に並べて収納して、そのコンテナ８０に収納された状態の複数本のきのこ栽培瓶３０をコンテナ８０と共に台座１００上に一度に効率良く搭載できるようにしたり、その台座１００上に搭載された複数本のきのこ栽培瓶３０を、コンテナ８０に収納された状態のまま、コンテナ８０と共に台座１００外部に一度に効率良く取り出したりできるようにすると良い。
なお、場合によっては、複数本のきのこ栽培瓶３０を裸の状態のままで１本ずつ台座１００上に順に並べて搭載したり、その台座１００上に並べて搭載した複数本のきのこ栽培瓶３０を１本ずつ台座１００上からその外部に順に取り出したりすることも、可能である。
【００１９】
ストッパ１３０及び供給手段２００は、他の汎用構造のものに変更することも、可能である。
【産業上の利用可能性】
【００２０】
本発明の水又は液体供給装置は、発芽期から抑制期の間にあるえのき茸を栽培中のきのこ栽培瓶内の培地に、一定量の水又はそれに加えてえのき茸の生長に有効な養分を含む液体を、手数と時間を掛けずに一度に効率よく迅速に供給するための装置に、有効利用可能である。
【図面の簡単な説明】
【００２１】
【図１】本発明の水又は液体供給装置の使用状態を示す正面図である。
【図２】本発明の水又は液体供給装置の使用状態を示す正面図である。
【図３】本発明の水又は液体供給装置の供給手段の回路説明図である。
【図４】本発明の水又は液体供給装置の供給手段の回路説明図である。
【図５】本発明の水又は液体供給装置の注入管先端の拡大正面図である。
【図６】えのき茸栽培方法を示す正面図である。
【図７】えのき茸栽培方法を示す一部破断平面図である。
【符号の説明】
【００２２】
１０  培地
２０  えのき茸
３０  きのこ栽培瓶
３２  きのこ栽培瓶の瓶口
５０  注入管
５２  注入管側壁の小孔
５４  注入管上端の供給部
６０  きのこ栽培瓶内の培地周囲の隙間
８０  コンテナ
１００  台座
１１０  枠板
１１２  ガイド筒
１２０  昇降手段
１３０  ストッパ
２００  供給手段
２１０  シリンダ
２２０  ピストン
２３０  駆動手段
２４０  吸入回路
２４２  第１逆止弁
２５０  供給回路
２５２  第２逆止弁
３００  タンク
【図１】
2005046079.tif 000003
【図２】
2005046079.tif 000004
【図３】
2005046079.tif 000005
【図４】
2005046079.tif 000006
【図５】
2005046079.tif 000007
【図６】
2005046079.tif 000008
【図７】
2005046079.tif 000009